(57)【要約】      （修正有）【課題】売買取引におけるトラブル或は通帳記帳の誤りによる消費者の利益損失などを避けることが可能な発光ダイオードを備える無線ＲＦシステムタグを提供する。【解決手段】一種の発光ダイオードを備える無線ＲＦシステムタグ１００は、主に１つの薄膜基板１１０と、１つのチップ１２０と、１つの発光ダイオード１３０を含む。薄膜基板１１０は１つのコア層、１つの第一アンテナ１１２、１つの第一接続パッド１１４及び１つの第二接続パッド１１５を有する。第一アンテナ１１２はコア層の一上表面に形成され、チップ１２０は第一接続パッド１１４と第二接続パッド１１５とに電気接続し、且つ発光ダイオード１３０の第一電極１３１と第二電極１３２はそれぞれ第一接続パッド１１４と第二接続パッド１１５とに電気接続している。【選択図】図１
0003146189.tif 000002
【実用新案登録請求の範囲】
【請求項１】
１つの薄膜基板として、１つのコア層、１つの第一アンテナ、１つの第一接続パッド及び１つの第二接続パッドを有し、コア層は一上表面と一下表面を有し、第一アンテナはコア層の上表面に形成され、
また１つのチップとして、第一接続パッドと第二接続パッドとに電気接続し、
さらに１つの発光ダイオードとして、少なくとも１つの第一電極と１つの第二電極を有し、第一電極は第一接続パッドと、第二電極は第二接続パッドとにそれぞれ電気接続していることを特徴とする発光ダイオードを備える無線ＲＦシステムタグ。
【請求項２】
前記薄膜基板は更に１つの第二アンテナを有し、この第二アンテナは前記コア層の下表面に形成されることを特徴とする請求項１記載の発光ダイオードを備える無線ＲＦシステムタグ。
【請求項３】
前記発光ダイオードにおいて、前記第一電極は前記第一接続パッドの上に、前記第二電極は前記第二接続パッドの上にそれぞれ位置していることを特徴とする請求項１記載の発光ダイオードを備える無線ＲＦシステムタグ。
【請求項４】
前記薄膜基板は、更に少なくとも１つの導通穴を有し、この導通穴は、前記第一アンテナと前記第二アンテナとを電気的に導通させるように前記コア層の上表面と下表面を貫通していることを特徴とする請求項２記載の発光ダイオードを備える無線ＲＦシステムタグ。
【請求項５】
前記導通穴は、前記第一接続パッドに位置していることを特徴とする請求項４記載の発光ダイオードを備える無線ＲＦシステムタグ。
【請求項６】
前記第一接続パッドは、前記第一アンテナと電気接続していることを特徴とする請求項１記載の発光ダイオードを備える無線ＲＦシステムタグ。
【請求項７】
前記第一接続パッドと前記第二接続パッドは、前記コア層の上表面に形成されていることを特徴とする請求項１記載の発光ダイオードを備える無線ＲＦシステムタグ。
【請求項８】
前記チップは、前記コア層の上表面に設置されていることを特徴とする請求項１記載の発光ダイオードを備える無線ＲＦシステムタグ。
【考案の詳細な説明】
【技術分野】
【０００１】
本考案は、一種の無線ＲＦシステムタグに関し、特に発光ダイオードを備える無線ＲＦシステムタグに関するものである。
【背景技術】
【０００２】
近年、消費形態の変化により、一般な消費者はＩＣメモリカード（例えばプリペイドカード）を用いて売買取引を行う量は増加していく。
【考案の開示】
【考案が解決しようとする課題】
【０００３】
但し、無線ＲＦシステムタグを備えるＩＣメモリカードは読取装置を経由して取引データアクセスを行う時、一般な消費者は取引内容を確認することができないので、消費者の利益損失を起こし易いかもしれないし、或は、売買取引におけるトラブルが発生し易くなり、例えば、通帳記帳の誤りによる生じた消費者の権益損害がある。
【０００４】
そこで、本考案は、上記問題点を解消する為に成されたものであり、発光ダイオードを備える無線ＲＦシステムタグを提供する事を目的とするものである。
【課題を解決するための手段】
【０００５】
本考案の主な目的は、一種の発光ダイオードを備える無線ＲＦシステムタグを提供し、この発光ダイオードを備える無線ＲＦシステムタグは１つの薄膜基板、１つのチップと１つの発光ダイオードを含む。
【０００６】
薄膜基板は１つのコア層、１つの第一アンテナ、１つの第一接続パッド及び１つの第二接続パッドを有する。
【０００７】
コア層は一上表面と一下表面を有し、第一アンテナはコア層の該上表面に形成され、チップは第一接続パッドと第二接続パッドとに電気接続している。
【０００８】
発光ダイオードは少なくとも１つの第一電極と１つの第二電極を有し、第一電極は第一接続パッドと、第二電極は第二接続パッドとにそれぞれ電気接続している。
【考案の効果】
【０００９】
無線ＲＦシステムタグはデータアクセスを行う時、第一接続パッドと第二接続パッドとに接続する発光ダイオードは、無線ＲＦシステムタグと読取装置との間のデータアクセスが行われるかどうかを判別するため発光することができ、売買取引におけるトラブル或は通帳記帳の誤りによる消費者の利益損失などを避けることが可能となる。
【考案を実施するための最良の形態】
【００１０】
図１に示したものは、本考案の発光ダイオードを備える無線ＲＦシステムタグ１００の一実施例を開示したものであり、このような発光ダイオードを備える無線ＲＦシステムタグ１００は、１つの薄膜基板１１０と、１つのチップ１２０と１つの発光ダイオード１３０とを含む。
【００１１】
図１、図２及び図３に示すように、前記薄膜基板１１０は、１つのコア層１１１と、１つの第一アンテナ１１２と、１つの第二アンテナ１１３と、１つの第一接続パッド１１４及び１つの第二接続パッド１１５とを有し、前記コア層１１１は一上表面１１１ａと一下表面１１１ｂを有する。
【００１２】
本実施例において、前記第一アンテナ１１２は、第一接続パッド１１４と第二接続パッド１１５は、前記コア層１１１の上表面１１１ａに形成され、前記第二アンテナ１１３は、前記コア層１１１の下表面１１１ｂに形成され、第一接続パッド１１４は第一アンテナ１１２と電気接続している。
【００１３】
また、前記薄膜基板１１０は、更に少なくとも１つの導通穴１１６を有し、導通穴１１６は、第一アンテナ１１２と第二アンテナ１１３とを電気的に導通させるようにコア層１１１の上表面１１１ａと下表面１１１ｂを貫通し、且つ第一接続パッド１１４、第一アンテナ１１２或いは第二アンテナ１１３の上に位置することができる。
【００１４】
本実施例において、コア層１１１の材質はポリエチレンテレフタラート（Ｐｏｌｙｅｔｈｙｌｅｎｅ  Ｔｅｒｅｐｈｔｈａｌａｔｅ）を、第一アンテナ１１２と第二アンテナ１１３との材質は銅をそれぞれ採用することになる。
【００１５】
尚、本実施例において、薄膜基板１１０の外形は顧客の要求に応じ円形リング状（図１と２に示すよう）に設計されることが可能である。
【００１６】
また、図１に示すように、前記チップ１２０は、前記コア層１１１の上表面１１１ａに設置されて第一接続パッド１１４と第二接続パッド１１５とに電気接続し、そして、ボンディングワイヤ或はバンプを用い薄膜基板１１０と電気接続することができる。
【００１７】
本実施例において、前記チップ１２０は複数のボンディングワイヤ１４０を介し第一接続パッド１１４と第二接続パッド１１５とに電気接続している。
【００１８】
また、前記発光ダイオード１３０は、少なくとも１つの第一電極１３１と１つの第二電極１３２とを有し、前記第一電極１３１は第一接続パッド１１４の上に、また前記第二電極１３２は第二接続パッド１１５の上にそれぞれ位置し、且つ第一電極１３１は第一接続パッド１１４に、第二電極１３２は第二接続パッド１１５にそれぞれ電気接続している。
【００１９】
前記発光ダイオード１３０の材質としては、リン化ガリウム（ＧａＰ）或いはヒ化ガリウム（ＧａＡｓ）を採用している。
【００２０】
本考案の発光ダイオードを備える無線ＲＦシステムタグ１００は、１つの読取装置（図示せず）を経由して取引データアクセスを行い、発光ダイオードを備える無線ＲＦシステムタグ１００と読取装置により電磁結合共振を起こして発光ダイオード１３０は発光することで、消費者は発光ダイオードを備える無線ＲＦシステムタグ１００を使う時、無線ＲＦシステムタグ１００の取引データアクセスが行われるかどうか或いは取引手続が完成されるかどうかを容易に判別することができる。従って、消費者の権益が保障でき、売買取引におけるトラブル或いはプリペイドカードの通帳記帳誤りによる消費者の利益損失などを避けることが可能である。
【００２１】
他に、図４に示したものは、本考案のもう一つの実施例による発光ダイオードを備える無線ＲＦシステムタグ２００を開示したものであり、このような発光ダイオードを備える無線ＲＦシステムタグ２００は、１つの薄膜基板２１０と、１つのチップ２２０と、１つの発光ダイオード２３０とを含む。
【００２２】
本実施例において、薄膜基板２１０の外形は様々な要求に応じ矩形リング状に設計されることが可能である。
【００２３】
前記薄膜基板２１０は、１つのコア層２１１と、少なくとも１つのアンテナ２１２と、１つの第一接続パッド２１３と、１つの第二接続パッド２１４及び少なくとも１つの導通穴２１５とを有し、前記コア層２１１は一上表面２１１ａと一下表面（図示せず）を有する。
【００２４】
本実施例において、アンテナ２１２、第一接続パッド２１３と第二接続パッド２１４は、前記コア層２１１の上表面２１１ａに形成され、前記導通穴２１５は、該上表面２１１ａのアンテナ２１２と下表面のアンテナ（図示せず）とを電気的に導通させるようにコア層２１１の上表面２１１ａと下表面を貫通している。
【００２５】
前記チップ２２０は、前記コア層２１１の上表面２１１ａに設置されて第一接続パッド２１３と第二接続パッド２１４とに電気接続している。
【００２６】
前記発光ダイオード２３０は、少なくとも１つの第一電極２３１と１つの第二電極２３２とを有し、第一電極２３１は第一接続パッド２１３の上に、第二電極２３２は第二接続パッド２１４の上にそれぞれ位置し、且つ第一電極２３１は第一接続パッド２１３に、また第二電極２３２は第二接続パッド２１４にそれぞれ電気接続している。
【００２７】
以上、本考案をその好適な実施例に基づいて説明したが、本考案の保護範囲は実用新案登録請求の範囲に限定されるものであり、この保護範囲を基準として、本考案の精神と範囲内に触れるどんな変更や修正も本考案の保護範囲に属する。
【図面の簡単な説明】
【００２８】
【図１】本考案の１つの実施例により、一種の発光ダイオードを備える無線ＲＦシステムタグを示す上面図である。
【図２】本考案の１つの実施例により、該発光ダイオードを備える無線ＲＦシステムタグを示す底面図である。
【図３】本考案の１つの実施例により、該発光ダイオードを備える無線ＲＦシステムタグを示す断面図である。
【図４】本考案のもう一つの実施例により、他種の発光ダイオードを備える無線ＲＦシステムタグを示す上面図である。
【符号の説明】
【００２９】
１００      発光ダイオードを備える無線ＲＦシステムタグ
１１０      薄膜基板
１１１      コア層
１１１ａ    上表面
１１１ｂ    下表面
１１２      第一アンテナ
１１３      第二アンテナ
１１４      第一接続パッド
１１５      第二接続パッド
１１６      導通穴
１２０      チップ
１３０      発光ダイオード
１３１      第一電極
１３２      第二電極
１４０      ボンディングワイヤ
２００      発光ダイオードを備える無線ＲＦシステムタグ
２１０      薄膜基板
２１１      コア層
２１１ａ    上表面
２１２      アンテナ
２１３      第一接続パッド
２１４      第二接続パッド
２１５      導通穴
２２０      チップ
２３０      発光ダイオード
２３１      第一電極
２３２      第二電極
【図１】
0003146189.tif 000003
【図２】
0003146189.tif 000004
【図３】
0003146189.tif 000005
【図４】
0003146189.tif 000006